(57)【要約】【課題】測定対象物の測定位置を正確に保持できるようにすることで、風が強く、足場が悪い高所のような悪環境の作業現場において、誤差なく、安全かつ容易に測定対象物の長さを測定する。【解決手段】鉄塔Ｔ又は建設現場等の高所の作業現場において、２名の作業者Ｗで測定対象物Ｏの長さ、寸法等を測定するときに使用する高所作業用メジャーであり、目盛１を付した長尺な目盛帯２と、目盛帯２を巻き込み収納するケース本体３と、から成り、目盛帯２の先端に把持部６を設け、先端の所定間隔を開けた位置から０目盛７を付した。【選択図】図１
2007278947.tif 000002
【特許請求の範囲】
【請求項１】
鉄塔（Ｔ）又は建設現場等の高所の作業現場において、２名の作業者（Ｗ）で測定対象物（Ｏ）の長さ、寸法を測定するときに使用する高所作業用メジャーであって、
目盛（１）を付した長尺な目盛帯（２）と、該目盛帯（２）を巻き込み収納するケース本体（３）と、から成り、
前記目盛帯（２）の先端に把持部（６）を設け、該先端の所定間隔を開けた位置から０目盛（７）を付した、ことを特徴とする高所作業用メジャー。
【請求項２】
前記把持部（６）にスベリ止め構造（１１）を設けた、ことを特徴とする請求項１の高所作業用メジャー。
【請求項３】
前記把持部（６）に掛けひも（８）を取り付けた、ことを特徴とする請求項１の高所作業用メジャー。
【請求項４】
前記把持部（６）に、測定対象物（Ｏ）に吸着する磁石（１０）を取り付けた、ことを特徴とする請求項１の高所作業用メジャー。
【請求項５】
前記ケース本体（３）に、測定対象物（Ｏ）に吸着する磁石（１０）を取り付けた、ことを特徴とする請求項１の高所作業用メジャー。
【発明の詳細な説明】
【技術分野】
【０００１】
本発明は、部材の長さや寸法等を測定するメジャーに係り、特に送電線等の鉄塔又は建設現場のような高所において作業者が測定するときに使用する高所作業用メジャーに関するものである。
【背景技術】
【０００２】
送電線等の鉄塔上又は建設現場等の高所の作業現場において、部材の長さや寸法等、測定対象物の２点間をミリ単位の精度で誤差のないように正確に測定しなければならない場合がある。この測定作業に際しては、通常はメジャーから引き出した目盛帯（スチールスケール）の先端の爪部を、測定対象物に掛け止めて測定している。この爪部は、金属片を断面が略Ｌ字状になるように曲折したもので、測定対象物に角が形成されているものであれば、この爪部がずれることなく正確に測定することができる。しかし、測定対象物に角が形成されていないときは、この爪部があるため測定対象物に目盛帯が密着するように置けず測定誤差が生じやすいことがあった。
【０００３】
また、図６に示すように、鉄塔Ｔのボルトとボルト間を２人の作業者Ｗで測定するときには、一方の作業者Ｗが塔脚Ｔ１につかまりながらメジャーの目盛帯の先端を持ち、他方の作業者Ｗがメジャーのケース本体を持ちながら離れた塔脚Ｔ１に移動して、そのボルト等の測定対象物の位置で目盛りを読み取る。ここで高所の作業では風が強いときには、目盛帯に風が当たって弛みやすいので、両作業者Ｗは目盛帯を強く引っ張る必要がある。しかし、このように両者が目盛帯を強く引っ張ると、目盛帯先端の爪部にある「０目盛」を測定対象物の所定位置に正確に置けないことがあった。
【０００４】
そこで、高所の測定作業にあっては、従来より測定誤差を少なくすると共に、円滑に測定作業を進めるために、メジャーの目盛帯の一番先端の「０目盛」を基点とせずに、１０ｃｍ又は２０ｃｍのような区切りの良い目盛を基点に測定することがあった。例えば、１０ｃｍの目盛を基点に測定したときは、見かけの測定値から１０ｃｍを引き算した値を測定値としていた。
【０００５】
なお、メジャーの先端部分を測定対象物に掛け止める技術としては、特許文献１の特開２００３−２０７３０１の「広幅巻尺末端クリップ」に示すように、巻尺の目盛帯の先端に設けた透明クリップ本体が提案されている。
【特許文献１】特開２００３−２０７３０１
【発明の開示】
【発明が解決しようとする課題】
【０００６】
しかし、メジャーの目盛帯の一番先端の「０目盛」を基点とせずに、１０ｃｍ又は２０ｃｍのような区切りの良い目盛を基点に測定する方法では、上述した悪環境においては、１０ｃｍ等の目盛を基点に測定していることを忘れ、見かけの測定値から１０ｃｍ等を引き算しない値を測定値としてしまうことがあった。従って、この測定方法では、却って誤測定になりやすいという問題を有していた。
【０００７】
また、特許文献１の「広幅巻尺末端クリップ」は、単に巻尺の目盛帯の先端をクリップで止めるだけで、高所のような風が強く、足場が悪いなどの悪環境における作業現場には適さないものであった。
【０００８】
本発明は、かかる問題点を解決するために創案されたものである。すなわち、本発明の目的は、測定対象物の測定位置を正確に保持できるようにすることで、風が強く、足場が悪い高所のような悪環境の作業現場において、誤差なく、安全かつ容易に測定対象物の長さを測定することができる高所作業用メジャーを提供することにある。
【課題を解決するための手段】
【０００９】
本発明によれは、鉄塔（Ｔ）又は建設現場等の高所の作業現場において、２名の作業者（Ｗ）で測定対象物（Ｏ）の長さ、寸法を測定するときに使用する高所作業用メジャーであって、目盛（１）を付した長尺な目盛帯（２）と、該目盛帯（２）を巻き込み収納するケース本体（３）と、から成り、前記目盛帯（２）の先端に把持部（６）を設け、該先端の所定間隔を開けた位置から０目盛（７）を付した、ことを特徴とする高所作業用メジャーが提供される。
【００１０】
前記把持部（６）にスベリ止め構造（１１）を設ける、ことが好ましい。
前記把持部（６）に掛けひも（８）を取り付けることが好ましい。
前記把持部（６）に、測定対象物（Ｏ）に吸着する磁石（１０）を取り付けることが好ましい。
前記ケース本体（３）に、測定対象物（Ｏ）に吸着する磁石（１０）を取り付けることが好ましい。
【発明の効果】
【００１１】
上記構成の発明では、目盛帯（２）の先端から所定の間隔を開けた位置から０目盛（７）を付したので、この０目盛（７）を測定対象物（Ｏ）の所定の位置に正確に当てることができ、精度の高い測定が可能になる。また、目盛帯（２）の先端に設けた把持部（６）を、一方の作業者（Ｗ）が持ち、他方の作業者（Ｗ）はケース本体（３）を持ちながら測定する際に、風が強いような悪環境の作業現場でも、両作業者Ｗは目盛帯（２）を強く引っ張ても測定始点側の作業者（Ｗ）は把持部（６）をしっかりと持っているため、０目盛（７）がずれることはない。
【００１２】
また、スベリ止め構造（１１）を設けた把持部（６）では、作業者（Ｗ）の手から離れづらくなり、測定作業を円滑に進めることができる。掛けひも（８）を取り付けた把持部（６）では、この掛けひも（８）を作業者（Ｗ）の手に掛け止めながら、橋脚（Ｔ１）を移動することができ、メジャーの目盛帯（２）の先端を外すことがない。
【００１３】
測定対象物（Ｏ）が鉄塔（Ｔ）や鉄製のボルト等の部材であるときに、把持部（６）を磁石（１０）で吸着させ、仮止めしてから０目盛（７）を測定対象物（Ｏ）の正確な位置に当てることができる。同様に、ケース本体（３）を磁石（１０）により測定対象物（Ｏ）に仮めしてから、目盛帯（２）を測定対象物（Ｏ）の所定の位置に正確に当てて測定値を読み取ることができる。
【発明を実施するための最良の形態】
【００１４】
本発明は、特に鉄塔又は建設現場等の高所の作業現場において、測定対象物の長さや寸法を測定するために目盛帯の先端に把持部を設け、この把持部から所定の間隔を開けた位置から「０目盛」を付した高所作業用メジャーである。
【実施例１】
【００１５】
以下、本発明の好ましい実施の形態を図面を参照して説明する。
図１は実施例１の高所作業用メジャーの目盛帯をケース本体から繰り出した状態を示す平面図である。図２は実施例１の高所作業用メジャーの目盛帯をケース本体から繰り出した状態を示す正面図である。図３は把持部を持ちながら測定する様子を示す斜視図である。
実施例１の高所作業用メジャーは、目盛１を付した長尺な目盛帯２と、この目盛帯２を巻き込み収納するケース本体３と、から成る。目盛帯２は、可撓性を有する例えば長尺な細い金属製シートに目盛１を付したものである。また、この目盛帯２の先端には、金属材料等により直角に折曲した爪部４を接続している。なお、目盛帯２は、金属製に代えて布製又は合成樹脂製のものも使用可能である。
【００１６】
ケース本体３は、例えばプラスチック製の箱体であり、この箱体の内部に空間を形成したものである。このケース本体３の一側面には、目盛帯２を繰り出すスリット状の開口部５を形成している。この開口部５は、目盛帯２が巻き戻ったときに、爪部４が止まる程度の大きさにする。ケース本体３内部には、目盛帯２が軸体に巻き込まれ、この軸体に、ケース本体３から引き出された目盛帯２を巻き戻すためのゼンマイばね材等を設けている。
【００１７】
図２に示すように、把持部６に取り付けた掛けひも８に、作業者Ｗの手を通すことにより、橋脚Ｔ１を移動するときにも、メジャーの目盛帯２の先端を外すことがなくなる。この掛けひも８は高所からの落下防止の機能も有する。更に、ケース本体３にも掛けひも８を取り付ける。
【００１８】
本発明の高所作業用メジャーは、図３に示すように、目盛帯２の先端に把持部６を設け、先端から所定の間隔を開けた位置に０目盛７を付している。この把持部６は、例えば目盛帯２の先端から約１４ｃｍ程度の余白とする。この１４ｃｍの長さは、高所の作業において、作業者Ｗが手でつかみやすい長さである。但し、この１４ｃｍに限定されず、その長さは変更することができる。極端に短いと作業者Ｗの手から外れやすく、また長すぎると０目盛７を測定対象物Ｏに当てづらくなる。把持部６には、ハドメ９を設けている。このハドメ９はスベリ止め機能を有し、把持部６が作業者Ｗの手から離れづらくなる。
【００１９】
本発明の高所作業用メジャーを用いて、例えば、２人の作業者Ｗによって図６に示したような鉄塔Ｔ等の高所で測定作業するときは、先ず、一方の作業者Ｗは、塔脚Ｔ１につかまりながら目盛帯２の先端の把持部６を持ち、他方の作業者Ｗは、ケース本体３を持ちながら離れた塔脚Ｔ１に移動する。この移動するときに、風が強いときに両作業者Ｗが目盛帯２を強く引っ張っても、測定始点側の作業者Ｗは把持部６を持っているので、０目盛７がずれることはない。このように０目盛７を測定対象物Ｏの所定の位置に正確に当てることができるので、精度の高い測定が可能になる。
【実施例２】
【００２０】
図４は実施例２の高所作業用メジャーの把持部とケース本体に磁石を取り付けた状態を示す正面図である。
実施例２の高所作業用メジャーは、把持部６に、測定対象物Ｏに吸着する磁石１０を取り付けたものである。この磁石１０としては、例えば永久磁石の吸着力を増大させるために、金属板で挟んだ構造ものを用いる。測定対象物Ｏが鉄塔Ｔや鉄製のボルト等の部材であるときに、把持部６に取り付けた磁石１０を測定対象物Ｏに吸着させ、仮止めしてから０目盛７を測定対象物Ｏの所定の位置に合わせることで、測定作業を迅速に進めることができる。この実施例２の高所作業用メジャーでは、目盛帯２が巻き戻ったときにこの磁石１０が収納できるように、ケース本体３の一側面に形成する開口部５は若干大きく形成されている。なお、磁石１０に代えて吸盤（図示していない）を取り付けることも可能である。
【００２１】
同様に、磁石１０をケース本体３にも取り付ける。この磁石１０により、ケース本体３を測定対象物Ｏに仮止めしてからその目盛帯２を測定対象物Ｏの所定の位置に当てて測定値を確認することができる。
なお、これらの磁石１０の取付位置については、把持部６又はケース本体３を測定対象物Ｏに一時的に仮止めできるものであれば、図示例の形状に限定されない。
【実施例３】
【００２２】
図５は実施例３の高所作業用メジャーの把持部とケース本体に磁石を取り付けた状態を示す平面図である。
実施例３の高所作業用メジャーは、把持部６にゴムシートのようなスベリ止め構造１１を設けたものである。このようにスベリ止め構造１１を設けた把持部６では、作業者Ｗの手から離れづらくなり、測定作業を円滑に進めることができる。このスベリ止め構造１１は目盛帯２と共にケース本体３内に巻き込まれ程度の可撓性を有し、薄さからなるものが適している。
【００２３】
なお、本発明は、測定対象物Ｏの測定位置を正確に保持できるようにすることで、風が強く、足場が悪い高所のような悪環境の作業現場において、誤差なく、安全かつ容易に測定対象物の長さを測定することができる構造であれば、上述した発明の実施の形態に限定されず、本発明の要旨を逸脱しない範囲で種々変更できることは勿論である。
【産業上の利用可能性】
【００２４】
本発明の高所作業用メジャーは、主に送電線等の鉄塔等の塔脚のボルト間の長さの測定に利用することができる。更に、建設現場等の高所のような悪環境の作業現場における測定、又は測定距離が長いものの測定にも利用することができる。なお、高所作業以外の作業においても利用することができる。
【図面の簡単な説明】
【００２５】
【図１】実施例１の高所作業用メジャーの目盛帯をケース本体から繰り出した状態を示す平面図である。
【図２】実施例１の高所作業用メジャーの目盛帯をケース本体から繰り出した状態を示す正面図である。
【図３】把持部を持ちながら測定する様子を示す斜視図である。
【図４】実施例２の高所作業用メジャーの把持部とケース本体に磁石を取り付けた状態を示す正面図である。
【図５】実施例３の高所作業用メジャーの把持部とケース本体に磁石を取り付けた状態を示す平面図である。
【図６】鉄塔で作業者が測定作業する状態を示す説明図である。
【符号の説明】
【００２６】
１  目盛
２  目盛帯
３  ケース本体
６  把持部
７  ０目盛
８  掛けひも
１０  磁石
１１  スベリ止め構造
Ｏ  測定対象物
Ｔ  鉄塔
Ｗ  作業者
【図１】
2007278947.tif 000003
【図２】
2007278947.tif 000004
【図３】
2007278947.tif 000005
【図４】
2007278947.tif 000006
【図５】
2007278947.tif 000007
【図６】
2007278947.tif 000008